(57)【要約】【課題】バッテリパックを装着する構成のロングヘッジトリマにおいて作業者の作業負担を軽減する。【解決手段】バッテリパックを装着するためのバッテリ装着部６を後端部に備えると共に該バッテリ装着部６から前側に離れた位置にモータ４を備えた本体部１と、該本体部１から前方に延びる柄部２と、該柄部２の前側に設けられ、モータ４の回転を前後方向の往復運動に変換する変換機構３１を備えたヘッド部８と、該ヘッド部８の変換機構３１に取り付けられた刈刃５とを備えたロングヘッジトリマであって、柄部２と、本体部１のうちバッテリ装着部６を除いた部分は、平面視において、ヘッド部８よりも左右方向の寸法が小さい。【選択図】図２
2018014953.tif 000002
【特許請求の範囲】
【請求項１】
バッテリパックを装着するためのバッテリ装着部を後端部に備えると共に該バッテリ装着部から前側に離れた位置にモータを備えた本体部と、該本体部から前方に延びる柄部と、該柄部の前側に設けられ、モータの回転を前後方向の往復運動に変換する変換機構を備えたヘッド部と、該ヘッド部の変換機構に取り付けられた刈刃とを備えたロングヘッジトリマであって、
柄部と、本体部のうちバッテリ装着部を除いた部分は、平面視において、ヘッド部よりも左右方向の寸法が小さいことを特徴とするロングヘッジトリマ。
【請求項２】
本体部は本体ハウジングを備え、該本体ハウジングには、バッテリ装着部から前側に離れた位置に、前後方向の軸線回りの全周のうち少なくとも一部が外側に膨出したモータ収容部が形成され、該モータ収容部にモータが前後方向に沿って収容されている請求項１記載のロングヘッジトリマ。
【請求項３】
ヘッド部に補助グリップが設けられている請求項１又は２記載のロングヘッジトリマ。
【発明の詳細な説明】
【技術分野】
【０００１】
本発明は、高い位置の枝葉の刈り込み作業に適したロングヘッジトリマに関する。
【背景技術】
【０００２】
バッテリパックを装着する構成の充電式のヘッジトリマは電源コードを備えた構成に比して機動力に優れている。また、下記特許文献１のような手元から刈刃までの寸法が長いロングタイプのヘッジトリマは、手が届かない高い位置の枝葉を剪定する作業に適している。
【０００３】
一方、この種のロングタイプのヘッジトリマは重量物であるうえに全長が長い。そのため、それを持って行う刈り込み作業は作業者の負担が大きい。しかしながら、下記特許文献１記載のヘッジトリマでは、最後部にモータが収容されると共にそのモータの下側にバッテリを備える構成であって、その最後部が局所的に非常に大型の形状となっているため、把持する部分や把持の仕方に制約が多く、例えば、両手でヘッジトリマを把持しつつ手元の部分を脇に挟んで固定しながら作業を行うというような使用態様は困難であった。
【先行技術文献】
【特許文献】
【０００４】
【特許文献１】特開２０１１−２３９６９９号公報
【発明の概要】
【発明が解決しようとする課題】
【０００５】
それゆえに本発明は上記従来の問題点に鑑みてなされ、バッテリパックを装着する構成のロングヘッジトリマにおいて作業者の作業負担を軽減することを課題とする。
【課題を解決するための手段】
【０００６】
本発明は上記課題を解決すべくなされたものであって、本発明に係るロングヘッジトリマは、バッテリパックを装着するためのバッテリ装着部を後端部に備えると共に該バッテリ装着部から前側に離れた位置にモータを備えた本体部と、該本体部から前方に延びる柄部と、該柄部の前側に設けられ、モータの回転を前後方向の往復運動に変換する変換機構を備えたヘッド部と、該ヘッド部の変換機構に取り付けられた刈刃とを備えたロングヘッジトリマであって、柄部と、本体部のうちバッテリ装着部を除いた部分は、平面視において、ヘッド部よりも左右方向の寸法が小さいことを特徴とする。尚、手元側を後側とし、先側を前側とする。また、前後方向に対して平面視において直交する方向を左右方向とする。
【０００７】
該構成のロングヘッジトリマにあっては、手元部分である本体部の後端部にバッテリ装着部を備えており、その前側に離れた位置にモータが配置されている。そして、ヘッド部の左右方向の寸法よりも、柄部と本体部のうちバッテリ装着部を除いた部分の左右方向の寸法の方が小さい。柄部及び本体部のうちバッテリ装着部を除いた部分は、即ち、ヘッド部とバッテリ装着部の間に位置する部分であるが、この中間部分が平面視においてヘッド部に比して幅が小さく細い形状となっている。そのため、作業者の好みや作業状況に応じて、細い中間部分の任意の箇所を把持して刈り込み作業を行うことができる。また、中間部分が細いので、その後部、例えばバッテリ装着部の直ぐ前側の部分を脇に挟んでロングヘッジトリマをしっかりと固定して作業を行うことも容易にできる。
【０００８】
特に、本体部は本体ハウジングを備え、該本体ハウジングには、バッテリ装着部から前側に離れた位置に、前後方向の軸線回りの全周のうち少なくとも一部が外側に膨出したモータ収容部が形成され、該モータ収容部にモータが前後方向に沿って収容されていることが好ましい。該構成では、本体ハウジングに外側に膨出した形状のモータ収容部が形成されているので、そのモータ収容部とバッテリ装着部の間の部分を把持部として把持することができる。そして、その把持部の前後にはバッテリ装着部とモータ収容部が形成されているので、把持部を把持した手が前後に大きく位置ずれしにくく、しっかりと把持して作業を行うことができる。また、モータ収容部とバッテリ装着部の間の部分を脇に挟んで作業を行うこともでき、その際にも、前後にモータ収容部とバッテリ装着部が存在することによって、ロングヘッジトリマを脇にしっかりと固定することができる。
【０００９】
また、ヘッド部に補助グリップが設けられていることが好ましい。例えば一方の手で補助グリップを把持して作業を行うことができる。ヘッド部は、重量物である刈刃に最も近い位置にあり、しかも、ヘッド部には変換機構が設けられているためヘッド部自体も重い。従って、ヘッド部に設けられた補助グリップを把持することにより、刈り込み作業がより一層楽になる。
【発明の効果】
【００１０】
以上のように、バッテリ装着部とヘッド部との間の中間部分が細い形状となっているので、ロングヘッジトリマをしっかりと固定して刈り込み作業を行うことができ、従って、作業者の作業負担が軽減される。
【図面の簡単な説明】
【００１１】
【図１】本発明の一実施形態におけるロングヘッジトリマを右側面から見た正面図。
【図２】同ロングヘッジトリマの平面図。
【図３】同ロングヘッジトリマの底面図。
【図４】同ロングヘッジトリマの手元側の部分を縦方向に切断した断面図。
【図５】同ロングヘッジトリマの先側の部分を縦方向に切断した断面図。
【図６】同ロングヘッジトリマの手元側の部分を斜め下方から見た斜視図。
【図７】同ロングヘッジトリマの手元側の部分を右側面から見た正面図。
【図８】図７のＡ−Ａ断面図。
【図９】図８に対応した断面図であって、（ａ）は通常時、（ｂ）は手回し時を示す。
【図１０】図７のＢ−Ｂ断面図であって、手回し時の状態を示す。
【図１１】本発明の他の実施形態におけるロングヘッジトリマを右斜め後方から見た斜視図。
【図１２】同ロングヘッジトリマの先側の部分を右側面から見た正面図。
【図１３】同ロングヘッジトリマの先側の部分の平面図。
【図１４】本発明の他の実施形態におけるロングヘッジトリマの先側の部分を右斜め後方から見た斜視図。
【図１５】同ロングヘッジトリマの先側の部分を右側面から見た正面図。
【図１６】同ロングヘッジトリマの先側の部分の平面図。
【図１７】本発明の他の実施形態におけるロングヘッジトリマを右側面から見た正面図。
【図１８】同ロングヘッジトリマの平面図。
【図１９】同ロングヘッジトリマの底面図。
【発明を実施するための形態】
【００１２】
以下、本発明の一実施形態にかかるロングヘッジトリマについて図１乃至図１０を参酌しつつ説明する。本実施形態におけるロングヘッジトリマは、モータ４を備えた本体部１と、該本体部１から前方に延びる柄部２と、該柄部２の前側に設けられ、モータ４の回転を前後方向の往復運動に変換する変換機構３１を備えたヘッド部８と、該ヘッド部８の変換機構３１に取り付けられた刈刃５とを備えている。本体部１、柄部２、ヘッド部８及び刈刃５は、図２のように平面視において一直線状となっており、また、本体部１と柄部２は、図１のように正面視において一直線状に並んでいて、刈刃５に対して平行且つ所定高さ上方に位置している。以下、詳細に説明する。尚、手元側を後側とし、先側を前側とする。また、前後方向に対して図２のような平面視において直交する方向を左右方向とする。前後方向に対して図１のような正面視において直交する方向を上下方向とする。
【００１３】
本実施形態におけるロングヘッジトリマは、充電式であって、図示しないバッテリパックを装着する構成となっている。そのため、バッテリパックを装着するためのバッテリ装着部６を本体部１の後端部に備えている。即ち、ロングヘッジトリマの後端部にバッテリパックが装着される。バッテリパックの装着方向は前後方向に対して直交する方向であってもよいが、本実施形態では、その直交する方向に対して所定角度傾斜している。また、バッテリ装着部６の取付面は、後方に向いていると共に斜め下方を向いている。従って、バッテリパックは、図４に矢印Ｐで取り付け方向を示しているように、斜め上方且つ後方から斜め下方且つ前方に向けてバッテリ装着部６にスライドさせて装着される。
【００１４】
尚、図１に二点鎖線でストラップ６０を示しているが、バッテリ装着部６の下端部には、ストラップ６０を取り付けるためのストラップ取付部６ａが設けられている。このようにストラップ６０を取り付けると、ロングヘッジトリマを収納しておく際に、ストラップ６０によってロングヘッジトリマを例えば壁等に引っ掛けて吊り下げておくことができる。尚、ストラップ取付部６ａの位置はバッテリ装着部６の下端部には限られず、その他の箇所であってもよく、例えばバッテリ装着部６の上端部であってもよい。
【００１５】
本体部１は、本体ハウジング１０を備えており、該本体ハウジング１０にモータ４が収容されている。本体ハウジング１０は左右二つ割の構成である。尚、バッテリ装着部６も本体ハウジング１０に設けられている。本体ハウジング１０は、最後部のバッテリ装着部６を除いて全体として筒状となっている。モータ４は、本体ハウジング１０の前部に収容されており、バッテリ装着部６とモータ４との間には、作動スイッチ１１が配置されている。該作動スイッチ１１は本体ハウジング１０の上面に設けられており、ＯＮ状態とするとモータ４が作動し、ＯＦＦ状態とするとモータ４が停止する。
【００１６】
本体ハウジング１０の前部にはモータ４を収容するためのモータ収容部が設けられている。具体的には、モータ４は、前後方向に沿って配置されており、モータ４の中心線は本体ハウジング１０の中心線や柄部２の中心線と平行であるが、それらに対して下方にオフセットされている。該モータ４の下方へのオフセット配置に対応して、本体ハウジング１０の前部の下部には、下方に膨出した膨出部１２が形成されており、該膨出部１２がモータ収容部を構成している。膨出部１２は断面視半円の筒状であって、その膨出部１２の後端面である後壁面部１２ａはモータ４の中心線に対して直交している。尚、膨出部１２の下端部は、バッテリ装着部６の下端部よりも若干上側に位置する。また、膨出部１２の下端部は、ヘッド部８の下端部と略同じ高さとなっている。バッテリ装着部６の下端部は、ロングヘッジトリマにおいて最も下方に位置する部分となっている。
【００１７】
モータ４の後側には、モータ４が停止した際にそのモータ４を手動で回転させるための手回し機構が設けられている。モータ４の主軸７の後端部には、外周面の全周のうち１８０度対向した二箇所がＤカットされた断面視非円形状の係合雄部１３ａを有する係合部材１３が装着されている。該係合部材１３の係合雄部１３ａはモータ４の主軸７と同軸上にあって後側に向けて突出している。膨出部１２の後壁面部１２ａには、手回し用の摘み１４が配置されており、該手回し用の摘み１４は前後方向の軸線回りに回転する構成であって、モータ４と同軸上に位置している。該手回し用の摘み１４の前端面には、係合雄部１３ａが前後方向に係入可能な係合雌部１４ａが凹設されている。即ち、係合雌部１４ａの孔の断面形状は、係合雄部１３ａの形状に対応した形状となっている。また、膨出部１２の後壁面部１２ａには手回し用の摘み１４を後側に付勢するための付勢手段としてのコイルバネ１５が内装されている。図９（ａ）のようにコイルバネ１５によって手回し用の摘み１４は常時は係合部材１３から後方に離間した状態にあって、手回し用の摘み１４の係合雌部１４ａは係合部材１３の係合雄部１３ａから後方に離間していて互いに係合していない状態にある。従って、その状態で手回し用の摘み１４を回転操作すると、手回し用の摘み１４のみが空転してモータ４を手動で回転させることはできない。一方、モータ４が停止している状態において、図９（ｂ）のように手回し用の摘み１４をコイルバネ１５の付勢力に抗して前側に押して係合部材１３の係合雄部１３ａに手回し用の摘み１４の係合雌部１４ａを係合させると、手回し用の摘み１４を回転させることによってモータ４の主軸７を回転させることができる。手回し用の摘み１４から手を離すと、図９（ａ）のように手回し用の摘み１４はコイルバネ１５に押されて自動的に係合部材１３から後方に離間して元の状態に戻る。本実施形態において、手回し用の摘み１４、コイルバネ１５、及び、係合部材１３が手回し機構を構成している。
【００１８】
本体ハウジング１０の下部であって膨出部１２の後側の位置には、局所的に上方に向けて凹んだ窪み部１６が形成されており、該窪み部１６の前側の壁面は膨出部１２の後壁面部１２ａとなっている。窪み部１６の後側の壁面１６ａは垂直面ではなく後側に向けて傾斜した傾斜面となっている。本体ハウジング１０の上面は高さ一定であって中心線と平行であり、従って、窪み部１６において本体ハウジング１０の上下方向の寸法は局所的に小さくなっている。また、窪み部１６の左右側縁部には、ガード壁１７がそれぞれ形成されている。該ガード壁１７は、前後方向に沿った面であって、左右一対のガード壁１７は互いに平行であって対峙している。ガード壁１７は、窪み部１６の側方のうち上部を覆うように形成されており、その下端縁は前側ほど下側に向かうように傾斜している。
【００１９】
モータ４の前側には減速機構２０が設けられている。該減速機構２０は、膨出部１２の前部からその上側の部分にかけて収容されている。減速機構２０にプロペラシャフト２１の後端部が接続されている。該プロペラシャフト２１は、モータ４の駆動力を刈刃５に伝達するための駆動伝達部材であり、モータ４の回転は減速機構２０によって減速された後、プロペラシャフト２１に伝達され、プロペラシャフト２１を前後方向の軸線回りに回転させる。膨出部１２の前側には筒状の接続部１８が形成されており、該接続部１８で本体ハウジング１０は柄部２と接続されている。
【００２０】
図２に示すように、本体部１においては、最後部のバッテリ装着部６の左右方向の寸法Ｗ１が最も大きい。本体部１においてバッテリ装着部６を除くそれよりも前側の部分では左右方向の寸法は略一定であるが、膨出部１２において左右方向の寸法Ｗ２が他の部分に比して僅かに大きくなっている。従って、本体部１のうちバッテリ装着部６を除いた部分における左右方向の寸法は、膨出部１２において最大となっている。
【００２１】
柄部２は、平面視において本体部１の前側に本体部１に対して一直線状に直列配置されている。柄部２は、前後方向の軸線を有する直管であるパイプ２２を有しており、該パイプ２２をプロペラシャフト２１が挿通している。パイプ２２は、合成樹脂製や金属製としてよい。パイプ２２の後端部は本体ハウジング１０の接続部１８に挿入されて固定されている。パイプ２２の外周面には筒状のグリップ２３が装着されている。該グリップ２３は例えば発泡ＥＶＡから構成される。柄部２は円筒状であるため、柄部２の左右方向の寸法は即ち外径となる。柄部２においてはグリップ２３が略全長に亘って設けられているが、そのグリップ２３の外径が柄部２の左右方向の寸法となる。柄部２のグリップ２３の左右方向の寸法Ｗ３は、本体部１の膨出部１２における左右方向の寸法Ｗ２に対して若干小さい。
【００２２】
柄部２の前側にはヘッド部８が設けられている。該ヘッド部８も平面視においては柄部２や本体部１と一直線状の配置態様にある。ヘッド部８は、ヘッドハウジング３０を有しており、該ヘッドハウジング３０にはモータ４の回転を前後方向の往復運動に変換する変換機構３１が収容されている。尚、ヘッドハウジング３０も本体ハウジング１０と同様に左右二つ割の構成である。ヘッドハウジング３０は、ヘッド部８の主要部分であるヘッド主部３４と、該ヘッド主部３４の後側に位置する接続部３２とを備えている。接続部３２は筒状とされていて、その接続部３２に柄部２のパイプ２２の前端部が挿入されて固定されている。ヘッド主部３４は、接続部３２よりも左右方向の寸法が大きく、ヘッド部８における左右方向の寸法Ｗ４はヘッド主部３４において最大となっており、従って、ヘッド部８の左右方向の寸法Ｗ４は即ちヘッド主部３４における左右方向の寸法Ｗ４となる。かかるヘッド主部３４に変換機構３１が収容されている。柄部２のパイプ２２を挿通しているプロペラシャフト２１の前端部は接続部３２を通ってヘッド主部３４に到達してそこで変換機構３１に接続されている。尚、ヘッド主部３４の上面は前側に向けて徐々に下降している。変換機構３１の下端部に刈刃５の基端部が交換可能に取り付けられている。尚、刈刃５は、図３及び図５に示すようにネジ３３によって取り付け、取り外しが可能である。このようにヘッド部８の下部が、刈刃５を取り付けるための刃取付部を構成している。モータ４の回転はプロペラシャフト２１を介して変換機構３１に伝達され、変換機構３１で前後方向の往復運動に変換されて刈刃５に伝達され、その結果、刈刃５が前後方向に往復動することになる。尚、ヘッド部８とバッテリ装着部６の間に位置する部分を中間部分９と称する。該中間部分９は、即ち、柄部２と、本体部１のうちバッテリ装着部６を除いた部分とからなる。
【００２３】
刈刃５は、相対的に往復動可能に設けられた上下二枚の刃である上刃と下刃から構成されている。具体的には、刈刃５は、固定刃と可動刃とから構成されて可動刃を固定刃に対して前後に往復運動させる構成とされたり、あるいは、二枚の可動刃から構成されて各可動刃を前後方向に互いに反対方向に往復運動させる構成とされたりする。
【００２４】
以上のように構成されたロングヘッジトリマにあっては、本体部１の前側に長尺状の柄部２が設けられていてその柄部２の前側に位置するヘッド部８から刈刃５が更に前方に延びている構成であるので、高い位置の枝葉であっても容易に刈り込むことができる。刈り込み作業においては、例えば本体部１や柄部２を把持することができる。
【００２５】
そして、中間部分９が平面視においてヘッド部８に比して左右方向の寸法が小さくなっていて細い形状となっている。そのため、作業者の好みや作業状況に応じて、中間部分９の任意の箇所を把持して刈り込み作業を行うことができる。また、中間部分９が細いので、その後部、例えばバッテリ装着部６の直ぐ前側の部分、即ち、バッテリ装着部６と膨出部１２の間に位置する部分を脇に挟んでロングヘッジトリマをしっかりと固定して作業を行うことも容易にでき、作業者の作業負担が軽減される。
【００２６】
また、バッテリ装着部６と膨出部１２との間の部分を把持する場合において、その前後には出っぱり部分であるバッテリ装着部６と膨出部１２が形成されているので、バッテリ装着部６と膨出部１２との間の部分をしっかりと把持することができる。また、バッテリ装着部６と膨出部１２との間の部分を脇に挟んで固定することもでき、その場合も前後にバッテリ装着部６と膨出部１２が存在していることによって脇にしっかりと固定することができる。
【００２７】
尚、刈り込み作業中に太い枝に刈刃５が噛み込んでモータ４への負荷が過度に大きくなると、モータ４を制御する制御部がそれを検知して自動的にモータ４を停止させる。モータ４が停止することで刈刃５も停止し、枝に刈刃５が噛み込んだままの状態となる。このようにモータ４が停止した状態には手回し機構を用いる。即ち、手回し用の摘み１４を前側に押してスライドさせて、手回し用の摘み１４の係合雌部１４ａに係合部材１３の係合雄部１３ａを係合させる。尚、手回し用の摘み１４の係合雌部１４ａと係合部材１３の係合雄部１３ａとの周方向の位相がずれている場合には、手回し用の摘み１４を前側に押しても直ちには係合しないが、その場合には、係合するまで手回し用の摘み１４を前側に押しつつ回転（空転）させる。そして、手回し用の摘み１４の係合雌部１４ａが係合部材１３の係合雄部１３ａに係合した状態で手回し用の摘み１４を回転させることで、モータ４を手動で回転させることができ、減速機構２０、プロペラシャフト２１及び変換機構３１を介して刈刃５を前後に動かすことができる。従って、枝に噛み込んだ刈刃５を枝から解放させることができる。枝への噛み込みが解消された後は、再び刈り込み作業を再開することができる。
【００２８】
尚、ヘッド部８に補助グリップ４０を設けてもよい。例えば、図１１〜図１３のように、ヘッド部８の上面に前後方向に沿って棒状の補助グリップ４０を設けてもよい。該補助グリップ４０は、ヘッドハウジング３０とは別体の構成であって、ヘッドハウジング３０に取り付け固定されている。補助グリップ４０の前端部はヘッドハウジング３０の前端部の上面に取り付けられ、補助グリップ４０の後端部はヘッドハウジング３０の後端部の上面に取り付けられている。そして、補助グリップ４０は、前後一対の柱部４１と、両柱部４１の上端部同士を前後に連結する梁部４２とから、左右側方から見てコの字状に形成されており、前後一対の柱部４１の下端部がそれぞれヘッドハウジング３０の前端部と後端部に取り付けられている。柱部４１は上下方向に延びていて、梁部４２は水平方向に延びている。尚、補助グリップ４０の前側にはガード５０を設けることが好ましい。
【００２９】
また、図１４〜図１６のように、補助グリップ４０をヘッドハウジング３０に一体的に形成した構成としてもよい。該補助グリップ４０は、詳細には、ヘッドハウジング３０の上部に前方に向けて平面視湾曲状に突出するように形成されている。補助グリップ４０は、ヘッドハウジング３０のうちヘッド主部３４に形成されており、ヘッド主部３４の上部であってその右側面から前面を介して左側面まで水平方向外側に鍔状に膨出形成されている。尚、ヘッド主部３４の上面は前側に向けて徐々に上昇している。この構成では、例えば、ヘッド主部３４の上面に手の平を当てながら鍔状の補助グリップ４０に指を引っ掛けるようにして把持することができる。
【００３０】
このようにヘッド部８に別体構成あるいは一体構成の補助グリップ４０を設けることにより、重量物である刈刃５に最も近い位置を把持することができる。従って、刈り込み作業が容易になる。
【００３１】
尚、本体部１は正面視において前後方向に直線状且つ水平に延びた形状でなくてもよく、例えば、図１７〜図１９に示すように、本体部１の後部を下方に湾曲させてもよい。
【００３２】
また、モータ収容部である膨出部１２は下方に向けて膨出されたものであったが、モータ収容部は全周に亘って径方向外側に膨出形成されていてもよく、従って、モータ４はプロペラシャフト２１と同軸であってもよい。モータ収容部は、前後方向の軸線回りの全周のうち少なくとも一部が外側に膨出したものであればよい。
【符号の説明】
【００３３】
１    本体部
２    柄部
４    モータ
５    刈刃
６    バッテリ装着部
６ａ  ストラップ取付部
７    主軸
８    ヘッド部
９    中間部分
１０    本体ハウジング
１１    作動スイッチ
１２    膨出部（モータ収容部）
１２ａ  後壁面部
１３    係合部材
１３ａ  係合雄部
１４    手回し用の摘み
１４ａ  係合雌部
１５    コイルバネ
１６    窪み部
１６ａ  窪み部の後側の壁面
１７    ガード壁
１８    接続部
２０    減速機構
２１    プロペラシャフト
２２    パイプ
２３    グリップ
３０    ヘッドハウジング
３１    変換機構
３２    接続部
３３    ネジ
３４    ヘッド主部
４０    補助グリップ
４１    柱部
４２    梁部
５０    ガード
６０    ストラップ
【図１】
2018014953.tif 000003
【図２】
2018014953.tif 000004
【図３】
2018014953.tif 000005
【図４】
2018014953.tif 000006
【図５】
2018014953.tif 000007
【図６】
2018014953.tif 000008
【図７】
2018014953.tif 000009
【図８】
2018014953.tif 000010
【図９】
2018014953.tif 000011
【図１０】
2018014953.tif 000012
【図１１】
2018014953.tif 000013
【図１２】
2018014953.tif 000014
【図１３】
2018014953.tif 000015
【図１４】
2018014953.tif 000016
【図１５】
2018014953.tif 000017
【図１６】
2018014953.tif 000018
【図１７】
2018014953.tif 000019
【図１８】
2018014953.tif 000020
【図１９】
2018014953.tif 000021